(57)【要約】【課題】  作業区画に持ち込まれた器具を適切に管理して、作業区画内への器具の置き忘れを検出するとともに、置き忘れた器具を特定して、迅速な探索に寄与する。【解決手段】  工具を作業区画に持ち込む際に、カメラ２３により工具を撮影し画像データを得るとともに、計量機器２２で当該工具の重量を測定して重量データを得る。一方、工具を作業区画から持ち出す際には、計量機器２２で工具の重量を測定し、持ち込む際に測定した工具の重量データと照合する。【選択図】      図２
2007226488.tif 000002
【特許請求の範囲】
【請求項１】
担当者が作業区画に持ち込む器具を撮影してその画像データを得る撮影手段と、
前記担当者が作業区画に持ち込む器具の重量を測定して重量データを得る重量測定手段と、
前記担当者が作業区画に持ち込む器具の画像データと重量データとを記憶する記憶手段と、
前記作業区画から持ち出される器具の重量を測定し、対応する前記持ち込まれた器具の重量データと照合するとともに、当該持ち込まれた器具の画像データを表示する機能を備えた管理手段と、
を備えたことを特徴とする器具管理システム。
【請求項２】
請求項１の器具管理システムにおいて、
前記作業区画に持ち込む器具のそれぞれに器具識別情報を付与するとともに、
前記担当者が作業区画に持ち込む器具に対し、当該識別情報を読み取る器具識別情報読取手段を備え、
前記記憶手段が、前記読み取られた識別情報についても記憶することを特徴とする器具管理システム。
【請求項３】
請求項２の器具管理システムにおいて、
前記管理手段は、前記作業区画から持ち出される器具の前記識別情報を読み取り、当該識別情報に基づいて、対応する前記持ち込まれた器具の重量データと照合するとともに、当該持ち込まれた器具の画像データを表示することを特徴とする器具管理システム。
【請求項４】
請求項１の器具管理システムにおいて、
前記作業区画に器具を持ち込む担当者のそれぞれに担当者識別情報を付与するとともに、
前記作業区画に器具を持ち込む担当者に対し、当該担当者識別情報を読み取る担当者識別情報読取手段を備え、
前記記憶手段が、前記読み取られた担当者識別情報を、当該担当者が作業区画に持ち込んだ器具と関連付けて記憶することを特徴とする器具管理システム。
【請求項５】
請求項４の器具管理システムにおいて、
前記管理手段は、前記作業区画から出てくる担当者の前記担当者識別情報を読み取り、当該担当者識別情報に基づいて、当該担当者が作業区画に持ち込んだ器具の重量データと照合するとともに、当該持ち込まれた器具の画像データを表示することを特徴とする器具管理システム。
【請求項６】
請求項１乃至５のいずれか一項に記載の器具管理システムにおいて、
前記管理手段は、前記作業区画から持ち出される器具の重量と、対応する前記持ち込まれた器具の重量との間に、あらかじめ設定した許容差以上の重量差があったとき、当該器具の一部に関し前記作業区画内への置き忘れが発生していると判別する重量判別手段を含むことを特徴とする器具管理システム。
【請求項７】
担当者が作業区画に持ち込む器具を撮影してその画像データを得る撮影ステップと、
前記担当者が作業区画に持ち込む器具の重量を測定して重量データを得る重量測定ステップと、
前記担当者が作業区画に持ち込む器具の画像データと重量データとを記憶する記憶ステップと、
前記作業区画から持ち出される器具の重量を測定し、対応する前記持ち込まれた器具の重量データと照合するとともに、当該持ち込まれた器具の画像データを表示する管理ステップと、
を備えたことを特徴とする器具管理方法。
【請求項８】
請求項７の器具管理方法において、
前記作業区画に持ち込む器具のそれぞれに器具識別情報を付与するとともに、
前記担当者が作業区画に持ち込む器具に対し、当該識別情報を読み取る器具識別情報読取ステップを備え、
前記記憶ステップでは、前記読み取られた識別情報についても記憶することを特徴とする器具管理方法。
【請求項９】
請求項８の器具管理方法において、
前記管理ステップでは、前記作業区画から持ち出される器具の前記識別情報を読み取り、当該識別情報に基づいて、対応する前記持ち込まれた器具の重量データと照合するとともに、当該持ち込まれた器具の画像データを表示することを特徴とする器具管理方法。
【請求項１０】
請求項７の器具管理方法において、
前記作業区画に器具を持ち込む担当者のそれぞれに担当者識別情報を付与するとともに、
前記作業区画に器具を持ち込む担当者に対し、当該担当者識別情報を読み取る担当者識別情報読取ステップを備え、
前記記憶ステップでは、前記読み取られた担当者識別情報を、当該担当者が作業区画に持ち込んだ器具と関連付けて記憶することを特徴とする器具管理方法。
【請求項１１】
請求項１０の器具管理方法において、
前記管理ステップでは、前記作業区画から出てくる担当者の前記担当者識別情報を読み取り、当該担当者識別情報に基づいて、当該担当者が作業区画に持ち込んだ器具の重量データと照合するとともに、当該持ち込まれた器具の画像データを表示することを特徴とする器具管理方法。
【請求項１２】
請求項７乃至１１のいずれか一項に記載の器具管理方法において、
前記管理ステップでは、前記作業区画から持ち出される器具の重量と、対応する前記持ち込まれた器具の重量との間に、あらかじめ設定した許容差以上の重量差があったとき、当該器具の一部に関し前記作業区画内への置き忘れが発生していると判別することを特徴とする器具管理方法。
【発明の詳細な説明】
【技術分野】
【０００１】
この発明は、作業区画に器具を持ち込んで所定の作業を行う際に、持ち込んだ器具の所在を管理するための器具管理システム及び器具管理方法に関する。
【背景技術】
【０００２】
所定の作業をするために、必要な工具や使い慣れた工具などの器具を作業区画に持ち込んで作業に使用することは、一般的に行われる作業形態である。例えば、電力会社の場合、発電所内の設備を定期・不定期に点検・補修しているが、その際、点検・補修を実施する作業区画（以下、建屋とも称する）に工具を持ち込んで作業を行うこととなる。
【０００３】
この点検・補修作業のときに、持ち込まれる工具は厳重に管理されなければならない。例えば、持ち込んだ工具を発電用タービンが配設された建屋内に置き忘れた場合、タービンを再稼働したとき、置き忘れた工具がタービンに接触して、タービンを傷つけたり、ひいては発電停止に至る大きな故障や事故につながることにもなりかねない。
【０００４】
このような事態を回避するために、現状では、建屋の入口に管理表を置き、この管理表に持ち込む工具を書き込むことで人為的に管理していた。管理表の利用方法としては、例えば、工具を建屋に持ち込む際に工具の名称、数量などを記入し、工具を建屋から持ち出す際に記入された内容と一致しているかを確認することで工具の所在を判別していた。
【０００５】
しかしながら、管理表による自主的な管理方法では、作業員による管理表への記入漏れや記入ミスが多々発生し、厳格な工具管理がされるわけではなかった。このような状況から、工具をより確実に管理できる工具管理システムの適用が望まれていた。工具を管理する管理システムとしては、特許文献１に開示された「工具、用具点検管理システム及び点検管理方法」がある。
特許文献１の工具管理システムは、個々の工具、用具に個体識別ラベルを貼付して、この個体識別ラベルを一括管理データとして登録するシステムである。
【特許文献１】特開２００４−５４５５３公報
【発明の開示】
【発明が解決しようとする課題】
【０００６】
さて、設備の点検・補修作業には、種々の工具が必要とされる。それらの工具の中には、例えば、複数種類のサイズや形状をした同一種類の工具をまとめてケースに同梱したレンチ工具セットやドライバ工具セットなどの工具セットもある。これらの工具セットに対して、特許文献１の工具管理システムによれば、セットに含まれる個々の工具にそれぞれ個体識別ラベルを付与するか、あるいは工具セットとして一括した個体識別ラベルを付与するか、のどちらかとなる。
【０００７】
しかし、セットに含まれる個々の工具にそれぞれ個体識別ラベルを付与することは、煩雑であり、レンチ工具セットに含まれる各種ソケットなどは小さく個体識別ラベルを付すことができないこともある。一方、一括した工具セットとして個体識別ラベルを付与した場合は、工具セットの中の工具に不足が生じていても、それを認識することはできない。  さらに、点検・補修作業者と工具の返却者が異なる場合や、建屋内での作業日数が長い場合には、実際に工具が足りないと分かっても、足りない工具がどのようなものか分からず捜索するのに大変な手間がかかった。
【０００８】
本発明はこのような事情に鑑みてなされたものであり、作業区画に持ち込まれた器具を適切に管理して、作業区画内への器具の置き忘れを検出するとともに、置き忘れた器具を特定して、迅速な探索に寄与することを目的とする。
【課題を解決するための手段】
【０００９】
上記目的を達成するために、本発明は、担当者が作業区画に持ち込む器具を撮影してその画像データを得る撮影手段と、
担当者が作業区画に持ち込む器具の重量を測定して重量データを得る重量測定手段と、
担当者が作業区画に持ち込む器具の画像データと重量データとを記憶する記憶手段と、
作業区画から持ち出される器具の重量を測定し、対応する持ち込まれた器具の重量データと照合するとともに、当該持ち込まれた器具の画像データを表示する機能を備えた管理手段と、
を備えたことを特徴とする。
【００１０】
更に、本発明は、作業区画に持ち込む器具のそれぞれに器具識別情報を付与するとともに、
担当者が作業区画に持ち込む器具に対し、当該識別情報を読み取る器具識別情報読取手段を備え、
記憶手段が、読み取られた識別情報についても記憶することを特徴とする。
【００１１】
ここで、管理手段は、作業区画から持ち出される器具の識別情報を読み取り、当該識別情報に基づいて、対応する持ち込まれた器具の重量データと照合するとともに、当該持ち込まれた器具の画像データを表示する構成としてもよい。
【００１２】
更に、本発明の器具管理システムは、
作業区画に器具を持ち込む担当者のそれぞれに担当者識別情報を付与するとともに、
作業区画に器具を持ち込む担当者に対し、当該担当者識別情報を読み取る担当者識別情報読取手段を備え、
記憶手段が、読み取られた担当者識別情報を、当該担当者が作業区画に持ち込んだ器具と関連付けて記憶することを特徴とする。
【００１３】
ここで、管理手段は、作業区画から出てくる担当者の担当者識別情報を読み取り、当該担当者識別情報に基づいて、当該担当者が作業区画に持ち込んだ器具の重量データと照合するとともに、当該持ち込まれた器具の画像データを表示する構成としてもよい。
【００１４】
また、管理手段は、作業区画から持ち出される器具の重量と、対応する持ち込まれた器具の重量との間に、あらかじめ設定した許容差以上の重量差があったとき、当該器具の一部に関し作業区画内への置き忘れが発生していると判別する構成としてもよい。
【発明の効果】
【００１５】
本発明によれば、作業区画に持ち込まれる器具の重量データと画像データを利用して、
作業区画に持ち込まれた器具を適切に管理し、作業区画内への器具の置き忘れを検出するとともに、置き忘れた器具を特定して、迅速な探索に寄与することができる。
【発明を実施するための最良の形態】
【００１６】
以下、この発明の実施の形態について図面を参照して詳細に説明する。
図１乃至図５は、本実施形態の器具管理システムを示す図である。図１は、本実施形態の器具管理システムを適用した建屋の概略図であり、図２は、器具管理システムの概要を示すブロック図である。
図１に示すように、本実施形態の器具管理システムは、電力会社の発電所に設置されたタービン２（作業対象物）の建屋１（作業区画）に適用したシステムである。このタービン２の点検・補修作業に対して、必要な工具を持ち込む場合の器具管理システムについて説明する。なお、本実施形態の器具管理システムは、このような建屋１だけでなく、器具を持ち込んで作業する種々の作業区画に適用できることはもちろんである。
【００１７】
本実施形態の器具管理システムでは、まず、建屋１に持ち込む工具の情報をコンピュータ１０に保存しておく。保存しておく工具の情報としては、工具の識別番号Ａ、重量データＢ、画像データＣを主として扱うが、この工具の情報以外にも、名称、種別、メーカーなどの種々の情報を必要に応じて付加してもよい。一方、持ち込み工具にＩＣタグ等を用いて固有の識別情報を付与しておき、この識別情報と、工具の重量データおよび画像データを対応付けてコンピュータ１０に保存しておくだけでもよい。
コンピュータ１０への保存は、事前に処理しておくこともでき、また建屋１へ入る際にその場で処理することもできる。
【００１８】
タービン２の点検・補修作業に用いられる工具には、ＩＣタグ３０が個々に貼付してあり、このＩＣタグ３０に各工具の識別番号Ａ（器具識別情報）が付与されている。また、新しく持ち込む工具には、例えば、無情報のＩＣタグ３０が器具管理システム付近に用意してあり、建屋１内に持ち込む際にそれぞれの工具に識別番号ＡをＩＣタグ３０に割り当てて、貼るつけることも可能である。なお、本実施形態では、工具の識別番号をＩＣタグ３０によって付与したが、種々の方法があることはもちろんである。例えば、バーコードに識別番号Ａを付与して工具を管理することもできる。
【００１９】
また、タービン２の点検・補修作業を担当する作業者にも、担当者識別情報としての作業者識別番号Ｄ（以下、作業者ＩＤともいう）が付与されている。この作業者識別番号Ｄは、工具にＩＣタグ３０を貼付したように、作業者のヘルメットまたは作業着に作業者用ＩＣタグ３１を貼り付けておき、作業者の入退場とともにこの作業者用ＩＣタグ３１を読み取る方式としている。
【００２０】
図１及び図２に示すように、器具管理システムは、工具の各種測定器としてＩＣタグリーダ／ライタ２１、計量機器２２、カメラ２３、タグリーダゲート２４、管理手段となるコンピュータ１０の各機器を、作業者が建屋１内に入退場する入出口周辺に設置した構成となっている。この器具管理システムは、各種測定機器２１、２２、２３及びタグリーダゲート２４によって工具及び作業者の情報を読み取らせ、その読み取った情報をコンピュータ１０にデータ化して保存するシステムである。
【００２１】
計量機器２２は、重量測定手段として工具の重量を測定する機器である。器具管理システムは、計量機器２２によって算出された工具の重量データＢを、工具の情報としてコンピュータ１０に保存させる。なお、器具管理システムに適用される計量機器２２としては、測定値がデジタル値で算出されるデジタル式計量器が好ましい。デジタル式計量器で測定された工具の重量データＢを、コンピュータ１０に自動的に送信させる構成とすれば、工具管理作業の手間を軽減させることができる。しかし、デジタル式計量器に限定されるわけではなく、アナログ計量器によって工具の重量を測定し、コンピュータ１０に手作業で入力させてもよい。
【００２２】
カメラ２３は、撮影手段として工具の画像データＣを作成する機器である。したがって、カメラ２３は撮影した画像をデータとして保存するデジタルカメラを適用することが好ましい。また、本実施形態のカメラ２３は、工具を撮影位置にセットすると自動的に撮影を開始して、得られた画像データＣをコンピュータ１０に保存する構成としている。このように構成することで、工具管理作業の手間を軽減させることができる。
【００２３】
ＩＣタグリーダ／ライタ２１は、器具識別情報読取手段として工具に貼付された識別番号Ａを検出する、或いは、識別番号Ａが付与されていないＩＣタグ３０に識別番号Ａのデータを割り当てる機器である。器具管理システムは、ＩＣタグリーダ／ライタ２１を工具のＩＣタグに近接させることにより、工具の識別番号Ａを読み取ることができる。
【００２４】
器具管理システムは、カメラ２３によって撮影された工具の画像データＣと、ＩＣタグリーダ／ライタ２１から読み取った識別番号Ａとを、工具の重量データＢとともにコンピュータ１０のメモリ１２に保存する。
【００２５】
ここで、工具の持ち込み時の入力作業の負担を軽減させるため、工具を計量機器２２に置いた状態で、カメラ２３による工具の撮影と、ＩＣタグリーダ／ライタ２１による識別番号Ａの読み取りを実行できるように調整してある。ＩＣタグリーダ／ライタ２１が工具の識別番号Ａを読み取るとともに、計量機器２２が工具の重量を測定して重量データＢを算出し、さらにカメラ２３が工具を撮影して画像データＣを作成する。このようにして得られた工具の識別番号Ａ、重量データＢ、画像データＣは、コンピュータ１０に自動的に送信され、工具情報として各データがメモリ１２にデータベース化して保存される。
【００２６】
タグリーダゲート２４は、建屋１に入退場する作業者の作業者識別番号Ｄを自動的に読み取る装置である。このタグリーダゲート２４によって読み取った作業者識別番号Ｄは、工具情報とともにコンピュータ１０のメモリ１２に保存される。この作業者識別番号Ｄを管理することで、誰がどのような工具を建屋１内に持ち込んでいるのか判別することができる。
【００２７】
管理手段となるコンピュータ１０は、計算機として機能する演算装置１１と、記憶手段として機能するメモリ１２とを内部に備えた汎用のコンピュータを適用することができる。メモリ１２には、あらかじめ本実施形態の器具管理システムを実行するための制御プログラムが記憶されており、コンピュータ１０の中央処理部（ＣＰＵ）は、この制御プログラムに従って器具管理システムを実行する。
また、コンピュータ１０には、各種測定器２１、２２、２３及びタグリーダゲート２４の接続コードが入力インターフェースにつなげられ、読み取られたデータを受信する機能が備えられている。また、コンピュータ１０には、外部入出力機器として、モニタ１３、キーボード１４、警報ブザー１５が接続されている。
【００２８】
コンピュータ１０のメモリ１２にデータベース化して保存された工具情報Ａ、Ｂ、Ｃ、および作業者識別番号Ｄは、キーボード１４等からの操作をもってメモリ１２から呼び出してモニタ１３に表示することができる。
【００２９】
図３は、本実施形態の器具管理システムに適用したモニタでの表示画面の一例を示す概略図である。
同図に示すように、建屋１への入退場時に各種測定機器２１、２２、２３で測定された工具の識別番号Ａ（工具ＩＤ）、重量データＢ、画像データＣが表示される。更に、表示画面には、作業を行う内容欄４０と、作業期間４１と、作業者名欄４２と、作業者識別番号を入力する作業者ＩＤ欄４３と、作業者が建屋に入退場する時間が入力される入場時間欄４４及び退場時間欄４５とが作業者の入力情報として用意されている。
【００３０】
作業者が工具を持ち込む場合には、建屋１に持ち込む工具の情報が画面左側の持ち込み確認の一覧表４６に工具の各データとして蓄積されていく。一方、建屋１から作業者が工具を持ち出す場合には、持ち出す工具の情報が画面右側の持ち出し確認の表４７に書き込まれていく。このように持ち込み工具と持ち出し工具を一覧表示することで、工具の管理がいっそう分かりやすくなる。
なお、レンチ工具セットのように複数の工具が収められている工具セットは、一つの工具データとして入力される。
【００３１】
次に、本実施形態の器具管理システムによる器具管理方法を説明する。
図４は、本実施形態の器具管理システムによる器具管理方法のフローチャートである。
器具管理システムでは、建屋１に作業者が入場する際に所定の作業を行う代表作業者がコンピュータ１０への入力を行う。同図に示すように、ステップＳ１では、代表作業者が器具管理システムを起動させ、作業の必要情報が入力される。この作業の必要情報としては、作業内容、作業期間、作業者名などがある。
【００３２】
ステップＳ１の処理が終了すると、建屋１に持ち込まれる工具の情報を読み取る操作を開始する。ステップＳ２では、工具に貼付したＩＣタグ３０がＩＣタグリーダ／ライタ２１によって読み取られる。そして、読み取られた工具の識別番号Ａがコンピュータ１０に送信され、データベースが作成される（ステップＳ３）。
【００３３】
その後、計量機器２２によって工具の重量が測定される。得られた重量データＢはコンピュータ１０に送信されて上記データベースに書き込まれる（ステップＳ４）。さらに、カメラ２３が工具の画像を撮影して画像データＣが作成される。得られた画像データＣはコンピュータ１０に送信されて、上記データベースに書き込まれる（ステップＳ５）。
ステップＳ２〜Ｓ４の作業は、持ち込む工具の全てについて行われる（ステップＳ６）。なお、これらのステップＳ２〜Ｓ５は任意の順序で処理することができる。例えば、まずデータベースを作成しておき（ステップＳ３）、次いで、工具画像の撮影（ステップＳ５）、工具の重量の測定（ステップＳ４）、ＩＣタグ３０の読み取り（ステップＳ２）を任意の順序で実行することもできる。
【００３４】
持ち込まれる工具に関する情報の保存が終了すると、作業者がタグリーダゲート２４を通過する。ここで、作業者用ＩＣタグ３１が読み取られる。またこのとき作業者が入場した時間が計測されており、作業者識別番号Ｄと入場時間が、上記持ち込まれる工具の情報と関連付けて上記データベースに書き込まれる（ステップＳ７）。建屋１への入場する際の器具管理システムの作業はこれで終了し、上記データベースに書き込まれた情報が、コンピュータ１０のメモリ１２に保存される（ステップＳ８）。また、作業者は、建屋１内に入場してタービン２の作業を開始することとなる。
【００３５】
作業が終了して建屋１から作業者が工具を持ち出す際は、タグリーダゲート２４を通過することで作業者用ＩＣタグ３１が読み取られる（ステップＳ９）。読み取られた作業者識別番号Ｄがコンピュータ１０に送信されると、工具情報が保存されたデータベース内を検索する（ステップＳ１０）。そして、入場時に登録された作業者識別番号Ｄのデータベースを、メモリ１２から呼び出してモニタ１３に表示する（ステップＳ１１）。
【００３６】
その後、建屋１から退場した作業者が持ち出す工具の確認を行う。まず、工具の識別番号ＡがＩＣタグリーダ／ライタ２１によって読み取られる（ステップＳ１２）。このとき、コンピュータ１０は、持ち込まれた工具と持ち出される工具の一致を確認している。データベースの表示画面では、既述したように、持ち出す工具が、持ち込み前の工具と同一行に書き込まれるため、作業者が目視によって容易に確認することもできる。
【００３７】
さらに、計量機器２２が工具の重量の測定を開始して、得られた重量データＢがコンピュータ１０に送信される（ステップＳ１３）。コンピュータ１０は、持ち出される工具と持ち込み前の工具の重量差を比較する（ステップＳ１４）。この重量差が許容差（例えば、０〜２％程度の差）である場合は、工具が持ち出されたと判断され、ステップＳ１５に進む。一方、重量差が許容差以上である場合は、工具が不足していると判断し、ステップＳ１７へ進む。
【００３８】
ステップＳ１５では、持ち出される工具が持ち込まれた工具と一致しているかが判断される。持ち出される工具が持ち込まれた工具の識別番号Ａが全て一致した場合は、工具が建屋１から確実持ち出されたことになり、器具管理システムは終了する。また、持ち出される工具が足りていない場合は、ステップＳ１６へ進む。
【００３９】
ステップＳ１６では、作業者が入力した作業期間が検索され、継続的に作業がなされるか否か判断される。継続して作業が行われる場合は、工具を建屋１内に置いて退場したと判断され、器具管理システムは終了する。作業が終了予定となっている場合は、工具が建屋１内にあると判断され、ステップＳ１７へ進む。
【００４０】
工具が足りない、または、工具が建屋１内にあると判断されると、警報ブザー１５が鳴らされる。また、データベースが表示されているモニタ１３にも、工具の不足を知らせる警告文字が表示される（ステップＳ１７）。さらに、モニタ１３には足りない工具の映像データＣが表示される（ステップＳ１８）。したがって、作業者は、足りない工具を表示画面を一目するだけで確認できる。作業員が建屋１内を探索し工具を見つけ出した際は、ステップＳ１２に戻って処理が続行される。このようにして、持ち出す工具が持ち込み前と完全に一致するまで繰り返される。
【００４１】
図５は、本実施形態の器具管理システムにより撮影される工具画像データの一例を示す図であり、（ａ）は工具セットを持ち込む前の画像データ、（ｂ）は工具セットを持ち出す際の画像データを示している。
同図に示すように、器具管理システムでは、レンチ工具セット５０など複数の工具（複数のソケット５１とレンチ５２など）を含む工具セットを一つの工具として管理する。すなわち、カメラ２３によってレンチ工具セット５０を一括して撮影するとともに、重量を測定する。したがって、セットに含まれる小さな工具（例えば、レンチ工具セット５０の小型ソケット５１など）にＩＣタグ３０を貼付したり、個々に重量を測定する必要がない。
【００４２】
このレンチ工具セット５０を建屋１から持ち出す際には、持ち込む前との重量を比較することによって、レンチ工具セット５０の各工具が全て揃っているかが判断できる。また、重量比較の結果、レンチ工具セット５０の中の一部が不足すると判別された場合は、持ち込み前に撮影した画像データ（図５（ａ））と、持ち出し時の画像データ（図５（ｂ））とを比較対照することで、不足している工具をすぐに判別することができる。
【００４３】
また、例えば、建屋１内での作業が長期間に及んだ場合には、工具を持ち込んだ作業者と、工具を持ち出す作業者が異なることがある。このとき、工具が足りないと判別された場合は、データベースに保存された画像データＣを確認することで、工具を持ち出す作業者が、どのような工具が足りないのか知ることができ、足りない工具の捜索が容易に行える。
【００４４】
以上、本実施形態の器具管理システムによれば、建屋に持ち込まれる工具の所在の管理を容易且つ確実に行うことができる。
なお、本発明の器具管理システムは、上述した実施形態に限定されるものではない。例えば、本発明は、病院等の医療機関において、手術室（作業区画）に持ち込まれる手術用具（器具）の管理にも適用することができる。
また、必要に応じて種々の応用実施または変形実施が可能であることは勿論である。以下に、本発明の器具管理システムの変形例を例示する。
【００４５】
〔変形例１〕
器具管理システムは、作業者識別番号Ｄを会社内で汎用されている社員ＩＤカードなどの磁気カードやＩＣカードを適用してもよい。この場合、社員ＩＤを作業者識別番号として読み取る読取機器をコンピュータとともに設置しておくことで、社員ＩＤによる管理も可能となる。また、コンピュータに作業者が手作業で社員ＩＤを入力してもよい。
【００４６】
〔変形例２〕
器具管理システムは、一度識別番号Ａを管理した工具の重量データＢ及び画像データＣをコンピュータ１０に保存しておくこともできる。これら工具の情報をコンピュータ１０に保存しておき、再度工具を持ち込む際に識別番号Ａを読み取るだけで保存してある各データＢ、Ｃを呼び出すようにシステムを構成してもよい。このように構成することで、再度作業をする場合に、工具の重量の測定や撮影などの工具の登録作業の手間を省くことができる。
【００４７】
〔変形例３〕
器具管理システムは、工具の識別番号であるＩＣタグ３０を、建屋への入場時、すなわち工具を持ち込む際に貼り付けて、持ち出す際に貼り付けたＩＣタグ３０を取り外す管理方法としてもよい。
【００４８】
〔変形例４〕
器具管理システムは、工具の重量を個々に計量する方法としたが、持ち込む工具の総重量を計量するようにシステムを構成してもよい。このように構成しても、工具の持ち込み前と持ち出し時の総重量が異なれば工具が足りないことが判別できる。
【図面の簡単な説明】
【００４９】
【図１】本実施形態の器具管理システムを適用した建屋の概略図である。
【図２】本実施形態の器具管理システムの概略を示すブロック図である。
【図３】本実施形態の器具管理システムにおける工具情報の表示画面を示す概略図である。
【図４】本実施形態の器具管理方法を示すフローチャートである。
【図５】本実施形態の器具管理システムにおいて撮影される工具画像データの一例を示す図であり、（ａ）は工具セットを持ち込む前の画像データ、（ｂ）は工具セットを持ち出す際の画像データを示している。
【符号の説明】
【００５０】
１：建屋、２：タービン、
１０：コンピュータ、１１：演算装置、１２：メモリ、１３：モニタ、１４：キーボード、１５：警報ブザー、
２１：ＩＣタグリーダ／ライタ、２２：計量機器、２３：カメラ、２４：タグリーダゲート、
３０：ＩＣタグ、３１：作業者用ＩＣタグ、
４０：内容欄４０、４１：作業期間、４２：作業者名欄、４３：作業者ＩＤ欄、４４：入場時間欄、４５：退場時間欄、４６：持ち込み確認の一覧表、４７：持ち出し確認の一覧表、
５０：レンチ工具セット、５１：小型ソケット、５２：レンチ
Ａ：識別番号、Ｂ：重量データ、Ｃ：画像データ、Ｄ：作業者識別番号
【図１】
2007226488.tif 000003
【図２】
2007226488.tif 000004
【図３】
2007226488.tif 000005
【図４】
2007226488.tif 000006
【図５】
2007226488.tif 000007